(57)【特許請求の範囲】
【請求項１】
回転トランスを有する角度検出器たるレゾルバにおいて、
ケースとコネクタが一体成型されたものとして形成されており、これにより角度検出器構成部品たる固定子トランス部と固定子鉄心部とは一体成型されており、
該固定子トランス部および該固定子鉄心部から入出力される信号が全て該コネクタ１個において同時に出力されるよう構成されている
ことを特徴とするレゾルバ。 
【請求項２】
前記固定子トランス部と前記固定子鉄心部とが突き合わされて組み合わされていることを特徴とする、請求項１に記載のレゾルバ。 
【請求項３】
前記固定子トランス部と前記固定子鉄心部の少なくともいずれか一方に、前記コネクタを形成するコネクタ構造が設けられていることを特徴とする、請求項１または２に記載のレゾルバ。 
【請求項４】
前記固定子トランス部と前記固定子鉄心部の少なくともいずれか一方に、信号引き出し用端子が設けられていることを特徴とする、請求項１ないし３のいずれかに記載のレゾルバ。 
【請求項５】
前記角度検出器構成部品には、他方の該構成部品における前記信号引き出し用端子を自身に固定するための端子固定用構造が設けられていることを特徴とする、請求項４に記載のレゾルバ。 
【請求項６】
前記固定子トランス部と前記固定子鉄心部との位置決め用嵌合部が、該固定子トランス部に設けられていることを特徴とする、請求項１ないし５のいずれかに記載のレゾルバ。 
【請求項７】
前記ケースと前記コネクタとが一体成型されていることを特徴とする、請求項１ないし６のいずれかに記載のレゾルバ。 
【請求項８】
巻線部分が前記固定子トランス部と前記固定子鉄心部との一体成型に係る一体成型材料により保護されていることを特徴とする、請求項１ないし７のいずれかに記載のレゾルバ。 
【発明の詳細な説明】
【技術分野】
【０００１】
本発明は角度検出器、特にレゾルバに係り、特に、回転トランスを有する角度検出器たるレゾルバにおける新規な構造に関するものである。 
【背景技術】
【０００２】
従来のレゾルバにおいては、たとえば本願出願人による後掲特許文献にも示されているように、レゾルバ鉄心にのみコネクタが一体成型されていた。したがって、回転トランスを有するレゾルバにおいては、トランス部分とレゾルバコア部分を機械的に結合するために、従来、切削加工等を施したケースを用いていた。
【０００３】
【特許文献１】特開２００３−３４４１０７号公報「回転検出器用ステータ構造」
【発明の開示】
【発明が解決しようとする課題】
【０００４】
さて従来の、レゾルバ鉄心にのみコネクタが一体成型されたレゾルバでは、回転トランスを有するレゾルバの場合、当該コネクタにより得られる信号は結局、レゾルバ鉄心からのもののみであった。つまり、回転トランス部分とレゾルバコア部分の信号を、いずれも単一・共通のコネクタによって得ることの可能な構成ではなかった。それ故、回転トランスを有するレゾルバでは上述の通り、トランス部分とレゾルバコア部分を機械的に結合するために従来、切削加工等を施したケースを用いざるを得ない状況であった。
【０００５】
そこで本発明が解決しようとする課題は、上記従来技術の問題点を解決し、角度検出器、特にレゾルバにおいて、一つのコネクタからレゾルバ信号を得ることのできるレゾルバを提供することである。また本発明が解決しようとする課題は、切削加工部品たるケースを不要とし、製造工程の簡略化、部品点数の削減および製造も安価な、レゾルバを提供することである。 
【課題を解決するための手段】
【０００６】
本願発明者は上記課題について検討した結果、たとえば回転トランスを有するレゾルバの場合であれば、そのケースとコネクタを一体成型することによって上記課題の解決が可能であることを見出し、本発明に至った。すなわち、上記課題を解決するための手段として本願で特許請求される発明、もしくは少なくとも開示される発明は、以下の通りである。
【０００７】
（１）  回転トランスを有する角度検出器たるレゾルバにおいて、ケースとコネクタが一体成型されたものとして形成されており、これにより角度検出器構成部品たる固定子トランス部と固定子鉄心部とは一体成型されており、該固定子トランス部および該固定子鉄心部から入出力される信号が全て該コネクタ１個において同時に出力されるよう構成されていることを特徴とするレゾルバ。 
（２）  前記固定子トランス部と前記固定子鉄心部とが突き合わされて組み合わされていることを特徴とする、（１）に記載のレゾルバ。 
（３）  前記固定子トランス部と前記固定子鉄心部の少なくともいずれか一方に、前記コネクタを形成するコネクタ構造が設けられていることを特徴とする、（１）または（２）に記載のレゾルバ。 
（４）  前記固定子トランス部と前記固定子鉄心部の少なくともいずれか一方に、信号引き出し用端子が設けられていることを特徴とする、（１）ないし（３）のいずれかに記載のレゾルバ。 
【０００８】
（５）  前記角度検出器構成部品には、他方の該構成部品における前記信号引き出し用端子を自身に固定するための端子固定用構造が設けられていることを特徴とする、（４）に記載のレゾルバ。 
（６）  前記固定子トランス部と前記固定子鉄心部との位置決め用嵌合部が、該固定子トランス部に設けられていることを特徴とする、（１）ないし（５）のいずれかに記載のレゾルバ。 
（７）  前記ケースと前記コネクタとが一体成型されていることを特徴とする、（１）ないし（６）のいずれかに記載のレゾルバ。 
（８）  巻線部分が前記固定子トランス部と前記固定子鉄心部との一体成型に係る一体成型材料により保護されていることを特徴とする、（１）ないし（７）のいずれかに記載のレゾルバ。 
【発明の効果】
【０００９】
つまり本発明によれば、ケースとコネクタを一体成型することによって、一つのコネクタからレゾルバ信号が得られ、さらに、切削加工部品であったケースを不要とし、製造工程の簡略化、部品点数の削減、製造コストの低減を実現できるものである。 
【００１０】
また、次のような効果、利点も得られる。
１．組立自動化が容易になる。
２．コイル保護が可能となる。つまり、巻線部分が一体成型材料により保護される。
３．製造コスト低減により、低価格化も可能となる。
【発明を実施するための最良の形態】
【００１１】
以下、本発明を図面により詳細に説明する。以下の説明はレゾルバの例を主として用いて行うが、他の角度検出器（シンクロなど）についても、本発明は適用可能である。
【００１２】
図１は、本発明の角度検出器の実施例について、その要部構成を示す斜視図であり、後掲図３、４、５に示すレゾルバ構成部品が一体成型された状態である。また、
図１−２は、図１の実施例に示すレゾルバの断面図、
図１−３（ａ）〜（ｅ）は、図１の実施例に示すレゾルバの各面図を示したものである。図１−３中、（ａ）を正面図として、（ｂ）は背面図、（ｃ）は左側面図、（ｄ）は平面図、そして（ｅ）は底面図である。また、
図２は、図１の実施例において、一体成型された本発明レゾルバに相手側コネクタが挿入されている状態を示す斜視図である。
【００１３】
これらに図示するように本発明の回転トランスを有する角度検出器１は、ケース２とコネクタ３とが一体を成していることを主たる構成とする。かかる構成により、一つのコネクタからレゾルバ信号が得られ、また切削加工部品であったケースが不要となり、製造工程を簡略化し、部品点数を削減し、製造コストを低減することができる。
【００１４】
つまり本発明の角度検出器１は、その構成部品たる固定子トランス部４と固定子鉄心部５とのいずれからも信号が入出力される場合において、これらの信号が全て１個のコネクタ３によって同時に、相手側コネクタ９に対して出力可能な構成である。
【００１５】
図３は、図１の実施例に係る固定子トランス部の構造を示す斜視図であり、具体的には、信号引き出し用端子を備えた固定子トランス巻線用ボビンである。
図４は、図１の実施例に係る固定子鉄心部の構造を示す斜視図であり、具体的には、信号引き出し用端子を備え、かつコネクタ構造を備えた固定子鉄心である。
図５は、図３の固定子トランス巻線用ボビンおよび図４の固定子鉄心を組み合わせた状態を示す斜視図である。
【００１６】
各図に示すように本発明の角度検出器１は、固定子トランス部４と固定子鉄心部５とが突き合わして組み合わせることによって、構成することができる。そして図１に示したように、最終的には、固定子トランス部４と固定子鉄心部５とが一体成型された状態とすることができる。
【００１７】
図４に例示されるように本発明の角度検出器１では、固定子トランス部４と固定子鉄心部５の少なくともいずれか一方には、コネクタ３を形成するためのコネクタ構造６を設けることとする。図では固定子鉄心部５にこれが設けられているが、固定子トランス部４側にコネクタ構造が設けられても、また両者において適合するように設けることとしてもよい。
【００１８】
図３、４に示されるように本発明の角度検出器１では、固定子トランス部４と固定子鉄心部５の少なくともいずれか一方に、信号引き出し用端子７４等を設ける構成とする。図では固定子トランス部４に信号引き出し用端子７４、固定子鉄心部５に信号引き出し用端子７５が設けられているが、いずれか一方において設けられる例も、本発明の範囲内である。
【００１９】
本発明角度検出器の構成部品には、他方の構成部品における信号引き出し用端子を自身に固定するための端子固定用構造を設けるものとすることができる。つまり、固定子トランス部（固定子トランス巻線用ボビン）、固定子鉄心部のいずれか一方もしくは両方に、互いの端子もしくはいずれか一方の端子を固定するための構造である。かかる構成により、固定子トランス部と固定子鉄心部との間で信号引き出し用端子が確実に固定され、コネクタ形成および角度検出器全体の構成上、便宜である。
【００２０】
前出図１、２に示すように、本角度検出器１においては、固定子トランス部４と固定子鉄心部５との位置決め用嵌合部Ａが、固定子トランス部４に設けられた構成とすることができる。これにより、両者の組み合わせを精度よく確実に行うことができる。
【００２１】
以上説明した通り、本発明角度検出器は最終的にケースとコネクタとが一体成型されたものとして形成される。つまり各構成部品、すなわち固定子トランス部と固定子鉄心部とが最終的に一体成型されることによって、本角度検出器のケースの機能も実現されることになる。
【産業上の利用可能性】
【００２２】
本発明によれば、切削加工のケースが不要、組立自動化が容易、製造コスト低減、ひいては低価格化が可能となる。したがって、関連産業分野において利用価値が高い発明である。 
【図面の簡単な説明】
【００２３】
【図１】本発明の角度検出器の実施例について、その要部構成を示す斜視図である。
【図１−２】図１の実施例に示すレゾルバの断面図である。
【図１−３（ａ）】図１の実施例に示すレゾルバの正面図を示したものである。
【図１−３（ｂ）】図１の実施例に示すレゾルバの背面図を示したものである。
【図１−３（ｃ）】図１の実施例に示すレゾルバの左側面図を示したものである。
【図１−３（ｄ）】図１の実施例に示すレゾルバの平面図を示したものである。
【図１−３（ｅ）】図１の実施例に示すレゾルバの底面図を示したものである。
【図２】図１の実施例において、一体成型された本発明レゾルバに相手側コネクタが挿入されている状態を示す斜視図である。
【図３】図１の実施例に係る固定子トランス部の構造を示す斜視図である。
【図４】図１の実施例に係る固定子鉄心部の構造を示す斜視図である。
【図５】図３の固定子トランス巻線用ボビンおよび図４の固定子鉄心を組み合わせた状態を示す斜視図である。
【符号の説明】
【００２４】
１…角度検出器
２…ケース
３…コネクタ
４…固定子トランス部
５…固定子鉄心部
６…コネクタ構造
７４、７５…信号引き出し用端子
９…相手側コネクタ
【図１−２】
0005044760.tif 000002
【図１−３（ａ）】
0005044760.tif 000003
【図１−３（ｂ）】
0005044760.tif 000004
【図１−３（ｃ）】
0005044760.tif 000005
【図１−３（ｄ）】
0005044760.tif 000006
【図１−３（ｅ）】
0005044760.tif 000007
【図１】
0005044760.tif 000008
【図２】
0005044760.tif 000009
【図３】
0005044760.tif 000010
【図４】
0005044760.tif 000011
【図５】
0005044760.tif 000012